(57)【特許請求の範囲】
【請求項１】
表面に形成された折曲案内部にて折り曲げることにより形成された隣り合う二面を有する包装用台紙であって、
前記折曲案内部は、少なくともいずれか一方の端部に切り残しを生じるように形成され、
前記折曲案内部を挟んで隣り合う二面に配置される一対の補助折曲案内部を、前記折曲案内部の少なくともいずれか一方の端部に備えており、
前記一対の補助折曲案内部における各外方端の間に、前記折曲案内部の延長部が位置する包装用台紙。
【請求項２】
前記補助折曲案内部は、前記折曲案内部又はその延長部に対して前記補助折曲案内部の内方端から外方端に向けて離隔するように設けられている請求項１に記載の包装用台紙。
【請求項３】
前記補助折曲案内部の外方端における接線が、前記折曲案内部と略平行である請求項１又は２に記載の包装用台紙。
【請求項４】
前記一対の補助折曲案内部は、前記折曲案内部又はその延長部に対して互いに対称となるように設けられている請求項１から３のいずれかに記載の包装用台紙。
【請求項５】
前記補助折曲案内部が、円弧状である請求項１から４のいずれかに記載の包装用台紙。
【請求項６】
前記補助折曲案内部は、前記折曲案内部と分離して配置されている請求項１から５のいずれかに記載の包装用台紙。
【請求項７】
前記折曲案内部は、互いに平行な複数の折曲案内線を備えている請求項１から６のいずれかに記載の包装用台紙。
【発明の詳細な説明】
【技術分野】
【０００１】
本発明は、包装用台紙に関する。
【背景技術】
【０００２】
芳香剤、除湿剤、食品等の商品を包装する手段として、包装用台紙の上に商品を載せ、シュリンクフィルム等の樹脂製フィルムで包装する方法が一般的に知られている。（例えば、特許文献１参照）。このようにして包装された包装パッケージの一例を図６に示す。図６に示すように、包装パッケージに用いられる包装用台紙５０は、商品５４を樹脂製フィルム５１により包装する過程で当該商品５４が移動しないように、当該台紙５０の縁を折り曲げて底面５２に対して側壁面５３が起立するように使用される。この側壁面５３を形成する際、側壁面５３を折り曲げ易くするために、包装用台紙表面における側壁面５３と底面５２との間に、包装用台紙５０の両側縁５６，５６の全幅にわたり一本のハーフカット状の折曲案内部（図示せず）が施されるのが一般的である。
【特許文献１】特開平６−２４４６４号公報
【発明の開示】
【発明が解決しようとする課題】
【０００３】
ところが、上記のような従来の包装用台紙５０に商品５４を載置して、当該台紙５０と当該商品５４とをシュリンクフィルム等の樹脂製フィルム５１により一体に包装した場合、包装用台紙５０の底面５２と側壁面５３との折曲部から樹脂製フィルム５１が破断するという問題があった。すなわち、底面５２に対して側壁面５３を折り曲げることにより、折曲部分の側縁部における折曲形状が略直角形状となるため、当該折曲部分が破断の起点となるおそれがあった。
【０００４】
本発明は、このような問題を解決すべくなされたものであって、商品等を包装する樹脂製フィルムの破断を確実に防止できる包装用台紙の提供を目的とする。
【課題を解決するための手段】
【０００５】
本発明の上記目的は、表面に形成された折曲案内部にて折り曲げることにより形成された隣り合う二面を有する包装用台紙であって、前記折曲案内部は、少なくともいずれか一方の端部に切り残しを生じるように形成され、前記折曲案内部を挟んで隣り合う二面に配置される一対の補助折曲案内部を、前記折曲案内部の少なくともいずれか一方の端部に備えており、前記一対の補助折曲案内部における各外方端の間に、前記折曲案内部の延長部が位置する包装用台紙により達成される。
【０００６】
この包装用台紙において、前記補助折曲案内部は、前記折曲案内部又はその延長部に対して前記補助折曲案内部の内方端から外方端に向けて離隔するように設けられているのが好ましい。
【０００７】
また、前記補助折曲案内部の外方端における接線が、前記折曲案内部と略平行であることが好ましい。
【０００８】
また、前記一対の補助折曲案内部は、前記折曲案内部又はその延長部に対して互いに対称となるように設けられていることが好ましい。
【０００９】
また、前記補助折曲案内部が、円弧状であることが好ましい。
【００１０】
また、前記補助折曲案内部は、前記折曲案内部と分離して配置されていることが好ましい。
【００１１】
また、前記折曲案内部は、互いに平行な複数の折曲案内線を備えていることが好ましい。
【発明の効果】
【００１２】
本発明によれば、商品等を包装する樹脂製フィルムの破断を確実に防止できる包装用台紙を提供することができる。
【発明を実施するための最良の形態】
【００１３】
以下、本発明の実施形態について添付図面を参照して説明する。図１は、本発明の一実施形態にかかる包装用台紙の平面図である。図１に示すように、包装用台紙１は、矩形状の厚紙であり、一定間隔で二ヶ所に平行に設けられている折曲案内部１５，１５によって第１側壁面１２、底面１３、及び第２側壁面１４に分離されている。包装用台紙１として、厚紙の他に、例えば、樹脂製シートや金属製シートを用いてもよく、あるいは、これらの積層体であってもよい。
【００１４】
折曲案内部１５は、両端に切り残し部を生じるように、ハーフカットにより形成された一本の直線からなる。ここで、ハーフカットとは、包装用台紙１の厚みを不連続にする手段をいい、例えば、刃によって所定深さの切り溝を形成する切込部形成、又は、プレス加工によって所定幅及び所定深さの溝を形成する凹部形成等を含む概念である。切り残し部の長さは、包装用台紙の厚みや大きさ、材質等によって任意に設定するものであるが、５ｍｍ〜２０ｍｍの範囲が好ましく、特に５ｍｍ〜１０ｍｍの範囲が好適である。本実施形態では１０ｍｍとしている。
【００１５】
各折曲案内部１５の両端側には、折曲案内部１５の延長部１６に対して対称となる一対の補助折曲案内部１１が形成されている。補助折曲案内部１１は、折曲案内部１５と同様にハーフカットにより形成されている。補助折曲案内部１１は、台紙側縁側の端部である外方端１１ｂと台紙中央側の端部である内方端１１ａとを直線状に結んで形成されており、かつ、折曲案内部１５の延長部１６に対して内方端１１ａから外方端１１ｂに向けて離隔して外方端側で間隔が拡がるように形成されている。補助折曲案内部１１と折曲案内部１５の延長部１６とがなす角度θは、９０度でない限り特に限定されず、包装用台紙１の厚みや大きさ、材質、切り残し部の長さ等によって任意に設定するものであるが、１０度〜６０度の範囲が好ましく、特に３０度〜６０度の範囲が好適であり、３０度〜４５度の範囲がさらに好適である。本実施形態では３０度としている。外方端１１ｂと折曲案内部１５の延長部１６との距離Ｓは、包装用台紙１の厚みや大きさ、材質、切り残し部の長さ等によって任意に設定するものであるが、１ｍｍ〜１０ｍｍの範囲が好ましく、特に１ｍｍ〜５ｍｍの範囲が好適である。本実施形態では５ｍｍとしている。一対の補助折曲案内部１１，１１は、各内方端１１ａ，１１ａにおいて、折曲案内部１５の端部と連接している。また、一対の補助折曲案内部１１，１１は、各外方端１１ｂ，１１ｂの間に折曲案内部１５の延長部１６が位置するように配置されている。
【００１６】
以上の構成を備えた包装用台紙１を用い、商品を樹脂製フィルムにより包装する方法について以下に説明する。
【００１７】
まず、第１側壁面１２及び第２側壁面１４を折曲案内部１５が外側となるようにして折り曲げることにより、底面１３に対して第１側壁面１２と第２側壁面１４とを起立させる。この折り曲げにより、一対の補助折曲案内部１１，１１の各外方端１１ｂ，１１ｂを通り折曲案内部１５に平行となるような一対の折筋Ｃ，Ｃが、両側縁部において形成されるため、折曲形状は、側面視において一対の折筋Ｃ、Ｃの間で滑らかな曲線状となる。更に、一対の補助折曲案内部１１，１１は、折曲案内部１５の延長部１６に対して対称となるように配置されていることから、曲線の頂点が折曲案内部１５の延長部１６上に位置することになり、この曲線状を確実に維持することができる。
【００１８】
次に、包装用台紙１の底面１３に商品を載せ、これらを樹脂製フィルムで囲繞することにより包装を行う。樹脂製フィルムとしては、例えば、シュリンクフィルム、ラップフィルム等が用いられる。本実施形態の包装用台紙１によれば、第１側壁面１２又は第２側壁面１４と底面１３との折曲部分の両側縁部における折曲形状を上述したように滑らかな曲線状にすることができるので、従来の包装用台紙５０において生じていた折曲部を起点とする樹脂製フィルムの破断を確実に防止することができる。
【００１９】
以上、本発明の一実施形態について説明したが、本発明の具体的な態様は上記実施形態に限定されない。
【００２０】
例えば、上記実施形態における補助折曲案内部１１は、折曲案内部１５に対して傾斜する構成であるが、その傾斜方向は折曲案内部１５に対して垂直でない限り特に限定されず、折曲案内部１５又はその延長部１６に対して外方端１１ｂから内方端１１ａに向けて離隔するような構成であっても良い。但し、外方端１１ｂにおける接線が折曲案内部１５に対して略平行であることが好ましい。これにより、包装用台紙１の折り曲げ時に、折筋Ｃ，Ｃの形成位置を正確に制御することができ、折曲部分の形状を所望の曲率を有する滑らかな曲線状とすることができる。このような補助折曲案内部１１として、例えば、図２に示すような円弧状のもの、あるいは、図３に示すような直線状のものが好ましく挙げられる。
【００２１】
また、上記実施形態においては、一対の補助折曲案内部１１，１１を折曲案内部１５の端部において連接するように配置しているが、図４に示すように、折曲案内部１５と分離するように配置してもよい。このような構成とすることによって、補助折曲案内部１１と折曲案内部１５との間における包装用台紙１の剥離のおそれを防止することができる。
【００２２】
また、上記実施形態において、折曲案内部１５は一本の直線によって形成されているが、図５に示すように、互いに平行な複数の折曲案内線１５１を備えてもよい。これにより、折曲部における折曲形状を所望の形状とすることがより容易になり、樹脂製フィルムの破断を更に確実に防止することができる。
【００２３】
また、一対の補助折曲案内部１１，１１は、各外方端１１ｂ，１１ｂの間に折曲案内部１５の延長部１６が位置していればよく、各内方端１１ａ，１１ａの位置は特に限定されない。例えば、本実施形態では、一対の補助折曲案内部１１，１１は、各内方端１１ａ，１１ａにおいて折曲案内部１５の端部と連接しているが、当該端部以外において連接してもよく、また、折曲案内部１５と分離させて、各内方端１１ａ，１１ａの間に折曲案内部１５又はその延長部１６が位置するように配置してもよい。
【００２４】
また、図１において示される、補助折曲案内部１１と折曲案内部１５の延長部１６とがなす角度θは、９０度でない限り特に限定されない。角度θが９０度の場合には、折筋Ｃが形成されにくくなるので、折曲部分の側面視形状を滑らかな所望の曲線状とすることが困難になる。また、外方端１１ｂと折曲案内部１５の延長部１６との距離Ｓは、１ｍｍ〜１０ｍｍの範囲が好ましい。距離Ｓが、小さすぎると一対の補助折曲案内部１１，１１を設けた効果が十分得にくくなる一方、大きすぎると折筋Ｃが形成されにくくなるので、いずれの場合においても、折曲部分の側面視形状を滑らかな所望の曲線状とすることが困難になる。また、図５に示すように、折曲案内部１５が互いに平行な複数の折曲案内線１５１を有する場合においては、角度θ及び距離Ｓの好ましい範囲は、両外側の折曲案内線１５１を基準とする。
【００２５】
また、本実施形態における補助折曲案内部１１は、単数線によって構成されているが、複数線によって構成されてもよい。
【００２６】
また、上記実施形態において、包装用台紙１は、第１側壁面１２と第２側壁面１４とを有しているが、いずれか一方のみを有する形状であってもよい。
【００２７】
また、上記実施形態において、素材シートは矩形状に形成されているが、例えば、楕円形状、円形状等の任意の形状を採用できることはいうまでもない。
【図面の簡単な説明】
【００２８】
【図１】本発明の一実施形態に係る包装用台紙の平面図である。
【図２】本発明の他の実施例を示す平面図である。
【図３】本発明の更に他の実施例を示す平面図である。
【図４】本発明の更に他の実施例を示す平面図である。
【図５】本発明の更に他の実施例を示す平面図である。
【図６】従来の包装用台紙を用いた包装パッケージを示す斜視図である。
【符号の説明】
【００２９】
１    包装用台紙
１１    補助折曲案内部
１１ａ  内方端
１１ｂ  外方端
１２    第１側壁面
１３    底面
１４    第２側壁面
１５    折曲案内部
１５１  折曲案内線
１６    延長部
１６１  延長線
【図１】
0003702392.tif 000002
【図２】
0003702392.tif 000003
【図３】
0003702392.tif 000004
【図４】
0003702392.tif 000005
【図５】
0003702392.tif 000006
【図６】
0003702392.tif 000007